(57)【要約】【課題】電子部品に対する十分な静電気への対策を講じた上で、部品点数が増加することなく筐体の小型化を図ることができる携帯端末装置を提供する。【解決手段】ケース部品を備えて構成される筐体と、筐体の内部に配設される電子部品と、筐体内に配設されて、電子部品と電気的に接続されるメイン基板とを備えた携帯端末装置において、ケース部品には、筐体の内面側に電子部品（カメラ１５、スピーカ２５）を収容して保持する保持部が形成され、保持部は、内面に導電塗装が施される導電部位を備え、導電部位がメイン基板１３の基準電位部と電気的に接続される。保持部は、筐体の内面側に突出して形成される突起部を有して構成される。【選択図】図１
2008130912.tif 000002
【特許請求の範囲】
【請求項１】
ケース部品を備えて構成される筐体と、
前記筐体の内部に配設される電子部品と、
前記筐体内に配設されて、前記電子部品と電気的に接続される回路基板と
を備えた携帯端末装置において、
前記ケース部品には、前記筐体の内面側に前記電子部品を収容して保持する保持部が形成され、
前記保持部は、内面に導電塗装が施される導電部位を備え、前記導電部位が前記回路基板の基準電位部と電気的に接続されることを特徴とする携帯端末装置。
【請求項２】
前記保持部は、
前記筐体の内面側に突出して形成される突起部を有して構成され、
前記突起部は、前記導電部位に連続して導電塗装が施されて、前記回路基板の基準電位部と電気的に接続されることを特徴とする請求項１に記載の携帯端末装置。
【請求項３】
前記突起部が、前記回路基板と導電性部品を介して導通されることを特徴とする請求項２に記載の携帯端末装置。
【請求項４】
前記電子部品とは異なる第２の電子部品を前記筐体内に収納して構成され、
前記導電性部品は、前記第２の電子部品と前記回路基板とを電気的に接続する配線部品で構成されることを特徴とする請求項３に記載の携帯端末装置。
【請求項５】
前記保持部の導電塗装が、前記ケース部品の前記回路基板に対向する部位まで連続的に施され、
前記回路基板は、前記導電塗装が施された前記ケース部品の対向する部位と当接されることを特徴とする請求項１から３のいずれか一項に記載の携帯端末装置。
【請求項６】
前記保持部に収容されて保持されるスピーカを備え、
前記ケース部品は、前記保持部における前記スピーカの音出力面に対向する位置に音出力孔が形成され、
前記導電塗装が施される前記保持部の導電部位は、前記音出力孔の周囲を少なくとも含むことを特徴とする請求項１から５のいずれか一項に記載の携帯端末装置。
【発明の詳細な説明】
【技術分野】
【０００１】
本発明は、携帯端末装置に関し、特に、装置内部に備えられた電子部品に対する静電対策を講じた携帯端末装置に関する。
【背景技術】
【０００２】
従来、装置内部に備えられた電子部品に対する静電対策を講じた携帯端末装置が知られている。例えば、装置内部に備えられた電子部品であるスピーカ部の静電気対策として、スピーカを取り付けるスピーカ孔の周辺に板金を設け、この板金を、基板、例えば、フレキシブルプリント配線板（Ｆｌｅｘｉｂｌｅ  Ｐｒｉｎｔｅｄ  Ｃｉｒｃｕｉｔ：ＦＰＣ）のグランド（ＧＮＤ）へ接続することにより、静電気をＧＮＤへ誘導していた。
【０００３】
このように、スピーカ孔の周辺に板金を設ける場合、スピーカ孔に対して理想的な形状を形成することができなくて静電気をうまく板金へ誘導することができず、静電気がスピーカラインに飛び込んでしまうことがあった。スピーカに静電気が飛び込んでしまうと、スピーカの信号ライン及びオーディオ回路の誤動作だけではなく、スピーカの周辺、例えば、カメラモジュールや高速シリアル等の繊細な回路にも誤動作が起こる虞があった。
【０００４】
このような静電気への対策を講じたものとして「電子機器」（特許文献１参照）がある。この「電子機器」は、筐体内に配置される電子部品（スピーカやカメラモジュール等）を保持部材（ホルダ）で保持して、当該保持部材を筐体内で保持する構成であり、保持部材に蒸着を施して静電対策を行う構成が開示されている。
【特許文献１】特開２００６−２１１３５０号公報
【発明の開示】
【発明が解決しようとする課題】
【０００５】
しかしながら、従来の「電子機器」においては、保持部材を有することにより、部品点数が増加してしまうことが避けられず、そのため、筐体の小型化を図ることができなかった。
【０００６】
本発明の目的は、電子部品に対する十分な静電気への対策を講じた上で、部品点数が増加することなく筐体の小型化を図ることができる携帯端末装置を提供することである。
【課題を解決するための手段】
【０００７】
上記目的を達成するため、本発明に係る携帯端末装置は、ケース部品を備えて構成される筐体と、前記筐体の内部に配設される電子部品と、前記筐体内に配設されて、前記電子部品と電気的に接続される回路基板とを備えた携帯端末装置において、前記ケース部品には、前記筐体の内面側に前記電子部品を収容して保持する保持部が形成され、前記保持部は、内面に導電塗装が施される導電部位を備え、前記導電部位が前記回路基板の基準電位部と電気的に接続されることを特徴としている。
【０００８】
また、本発明は、前記保持部が、前記筐体の内面側に突出して形成される突起部を有して構成され、前記突起部は、前記導電部位に連続して導電塗装が施されて、前記回路基板の基準電位部と電気的に接続されることが好ましい。
【０００９】
また、本発明は、前記突起部が、前記回路基板と導電性部品を介して導通されることが好ましい。
【００１０】
また、本発明は、前記電子部品とは異なる第２の電子部品を前記筐体内に収納して構成され、前記導電性部品は、前記第２の電子部品と前記回路基板とを電気的に接続する配線部品で構成されることが好ましい。
【００１１】
また、本発明は、前記保持部の導電塗装が、前記ケース部品の前記回路基板に対向する部位まで連続的に施され、前記回路基板は、前記導電塗装が施された前記ケース部品の対向する部位と当接されることが好ましい。
【００１２】
また、本発明は、前記保持部に収容されて保持されるスピーカを備え、前記ケース部品は、前記保持部における前記スピーカの音出力面に対向する位置に音出力孔が形成され、前記導電塗装が施される前記保持部の導電部位は、前記音出力孔の周囲を少なくとも含むことが好ましい。
【発明の効果】
【００１３】
本発明によれば、電子部品に対する十分な静電気への対策を講じた上で、部品点数が増加することなく筐体の小型化を図ることができる。
【発明を実施するための最良の形態】
【００１４】
以下、本発明を実施するための最良の形態について図面を参照して説明する。
【００１５】
図１は、本発明の一実施の形態に係る携帯端末装置の一例である携帯電話機のキー側筐体の分解構成図である。図２は、図１のキーリアケースの背面の平面図である。
【００１６】
図１に示すように、携帯電話機のキー側筐体（筐体）１０は、キーフロントケース（ケース部品）１１とキーリアケース（ケース部品）１２を重ね合わせて構成され、キーフロントケース１１には、各種操作キーの操作状態を検出する、例えば、メタルドームシートにより形成されたキー検出装置（図示しない）が装着されている。キー側筐体１０は、キー側筐体１０の一端部（図１における左端部）に設けられたヒンジ部（図示しない）を介して取り付けられた、表示器側筐体（図示しない）と共に、折り畳み式の携帯電話機を形成している。
【００１７】
キー側筐体１０の内部、即ち、キー側筐体１０を構成するキーフロントケース１１の内面側には、キーフロントケース１１のヒンジ側略半分の領域を占めて、メイン基板（回路基板）１３とカメラ用ＦＰＣ１４が装着されている。キーフロントケース１１の残りの領域には、バッテリ（図示しない）が収納される。
【００１８】
カメラ用ＦＰＣ１４は、キーフロントケース１１のヒンジ部が配置される一端側の端部に配置されており、カメラ用ＦＰＣ１４のキーフロントケース１１幅方向略中央には、カメラ用ＦＰＣ１４と電気的に接続されたカメラ（電子部品）１５が装着されている。カメラ１５は、撮像レンズ１５ａを、カメラ用ＦＰＣ１４の上方、即ち、キーリアケース１２側に向けており、撮像レンズ１５ａに対応して、キーリアケース１２にはカメラ撮影用窓１６が設けられている。このカメラ用ＦＰＣ１４は、一端部がカメラ用ＦＰＣ−メイン基板間コネクタ１７により、メイン基板１３と電気的に接続されて一体化するように、メイン基板１３に接続されており、他端側がカメラ１５と電気的に接続されており、メイン基板１３とカメラ１５とを電気的に接続して、両者間での信号のやり取りなどを行う。
【００１９】
図１及び図２に示すように、キーリアケース１２は、カメラ撮影用窓１６のキーリアケース１２幅方向両側に、ケース表裏面を貫通するスピーカ孔１８ａ，１８ｂを有している。各スピーカ孔１８ａ，１８ｂは、例えば、キーリアケース１２長手方向に沿う溝状開口からなり、キーリアケース１２幅方向に大小２本が並んで配置されている。キーリアケース１２の内面側には、各スピーカ孔１８ａ，１８ｂに対向した位置に、放音部をキーリアケース１２の外側に向けてスピーカ（図示しない）が装着される。
【００２０】
また、カメラ撮影用窓１６のキーリアケース１２長手方向反対側には、バッテリ着脱用の開口１９（図１参照）が開けられている。この開口１９は、離脱自在な蓋体２０により塞ぐことができる（図２参照）。
【００２１】
図３は、図１のキーリアケース１２の内面側の部分平面図である。図４は、図１のキーフロントケース１１の部分平面図である。図５は、図１のキー側筐体１０のスピーカ孔１８ａ近傍の断面図である。
【００２２】
図３に示すように、キーリアケース１２の内面には、各スピーカ孔１８ａ，１８ｂの周囲に円形状縦壁、即ち、キー側筐体１０の内面側に突出して形成される突起部としてのリブ（保持部）２１ａ，２１ｂが形成されており、各リブ２１ａ，２１ｂは、それぞれキーリアケース１２角部側にはみ出してリブ２１ａ，２１ｂよりもキー側筐体１０の内面側に突出して形成されるリブ突出部２２ａ，２２ｂを有している。これらリブ突出部２２ａ，２２ｂを含む、キーリアケース１２の内面の各スピーカ孔１８ａ，１８ｂの周囲には、図３に斜線で示されるように、導電塗装又は蒸着を施すことにより導電膜（導電部位）２３ａ，２３ｂが形成されている。
【００２３】
つまり、キーリアケース１２には、キー側筐体１０の内面側にスピーカーを収容して保持するリブ２１ａ，２１ｂが形成されており、このリブ２１ａ，２１ｂとスピーカ孔１８ａ，１８ｂの周囲におけるキーリアケース１２の内面部とによって構成されるスピーカ保持部の内面に導電塗装が施される導電部位を備え、この導電部位におけるリブ突出部２２ａ，２２ｂの先端部がカメラ用ＦＰＣ１４の基準電位部（ＧＮＤ）と電気的に接続されている。そして、導電部位２３ａ，２３ｂが、メイン基板１３と、導電性部品であるカメラ用ＦＰＣ１４を介して導通されている。
【００２４】
即ち、図４に示すように、キーフロントケース１１に装着されたカメラ用ＦＰＣ１４の表面の、キーフロントケース１１の両角部近傍には、カメラ用ＦＰＣ１４内のグランド回路に導通されている端子部２４ａ（カメラ用ＦＰＣ＿ＧＮＤ１），２４ｂ（カメラ用ＦＰＣ＿ＧＮＤ２）が形成されており、キーフロントケース１１とキーリアケース１２とを組み付けることにより、導電部位２３ａ，２３ｂにおけるリブ突出部２２ａ，２２ｂがカメラ用ＦＰＣ１４の端子部２４ａ，２４ｂのそれぞれに当接されて、導電部位２３ａ，２３ｂが、カメラ用ＦＰＣ１４を介してメイン基板１３の基準電位部（グランド部）に電気的に接続される。
【００２５】
即ち、キーリアケース１２は、内面の各スピーカ孔１８ａ，１８ｂの周囲と、キーリアケース１２に重ね合わされて一体化するキーフロントケース１１に装着されるカメラ用ＦＰＣ１４に対向した位置に形成されたリブ突出部２２ａ，２２ｂとに、連続的に導電塗装又は蒸着が施された導電部位としての導電膜２３ａ，２３ｂが形成されている。
【００２６】
従って、図５に示すように、キーフロントケース１１とキーリアケース１２を重ね合わせて一体化した際に、導電部位における両リブ突出部２２ａ，２２ｂとカメラ用ＦＰＣ１４の端子部２４ａ，２４ｂが接触状態になって、導電膜２３ａと端子部２４ａ、導電膜２３ｂと端子部２４ｂがそれぞれ密着する。これにより、スピーカ孔１８ａ，１８ｂの周囲内面を、リブ突出部２２ａ（導通ポイント１）とカメラ用ＦＰＣ＿ＧＮＤ１（導通ポイント１´）とを介して、また、リブ突出部２２ｂ（導通ポイント２）とカメラ用ＦＰＣ＿ＧＮＤ２（導通ポイント２´）とを介して、メイン基板１３と導通させる導電路（一部のみ図示）が形成される。
【００２７】
この結果、スピーカ孔１８ａ，１８ｂを介して筐体内に静電気が飛び込んでしまった場合、静電気は、スピーカ孔１８ａ，１８ｂの周囲内面に形成された導電膜２３ａ，２３ｂに吸着されて、導通ポイント１から導通ポイント１’を経由して、また、導通ポイント２から導通ポイント２’を経由して、メイン基板１３のＧＮＤへ安定して導かれるため、スピーカラインへ静電気が飛び込むことがなく、オーディオ回路の誤動作や破壊を引き起こすことがない。
【００２８】
図６は、図１のキー側筐体のスピーカ装着部分を縦断面して示す斜視説明図である。図７は、導電膜の他の例を示す図３と同様の部分平面図である。図８は、導電膜の他の例を示す図７と同様の部分平面図である。図９は、導電膜の他の例を示す図５と同様の断面図である。
【００２９】
図６に示すように、カメラ１５のキー側筐体１０幅方向両側にスピーカ（第２の電子部品）２５がレイアウトされるような、キーフロントケース１１に高さが大きく異なる部品（カメラ１５、スピーカ２５）を並べて配置する構造の場合、携帯端末装置の筐体薄型化を実現するために、カメラ用ＦＰＣ１４の上にカメラ１５及びスピーカ２５を実装する。これにより、カメラ用ＦＰＣ１４を折り曲げてカメラ１５等の背の高い部品の突出をできる限り低く抑える。
【００３０】
また、カメラ用ＦＰＣ１４の折り曲げ部は、パターン切れ等の対策のために、通常、２層構造とはせずに単層構造にして、腰を柔軟にしておく。カメラ用ＦＰＣ１４を単層構造にすると、ＧＮＤパターンを理想的に引くことができず、ＧＮＤのインピーダンスが高くなって静電気等のノイズを受け易くなってしまう。従って、カメラ用ＦＰＣ１４を単層構造にした場合、上述したように、スピーカ２５から飛び込んだ静電気をカメラ用ＦＰＣ１４のＧＮＤへ誘導すると、カメラ１５が誤動作してしまうことが起こり得る。
【００３１】
そこで、このような状態への対策として、導通ポイント１−導通ポイント１´（図５参照）、導通ポイント２−導通ポイント２´の第１導電ルートに対し、新たに、導通ポイント３−導通ポイント３´、導通ポイント４−導通ポイント４´、及び導通ポイント５−導通ポイント５´の第２導電ルートを形成する。
【００３２】
図７に斜線で示すように、スピーカ保持部の内面とリブ突出部２２ａ，２２ｂだけでなく、スピーカ保持部の周囲まで拡張したキーリアケース１２の内面に、導電膜２３ａ，２３ｂ（図３参照）と同様の導電膜２６ａ，２６ｂが、導電塗装又は蒸着を施すことにより形成されている。
【００３３】
導電膜２６ａは、キーリアケース１２の内面にリブ突出部２２ａのスピーカ孔１８ａを挟んでキーリアケース１２長手方向反対側に位置して形成されるリブ２７ａとリブ２８，２９にまで亘って連続的に配設され、導電膜２６ｂは、キーリアケース１２の内面にリブ突出部２２ｂのスピーカ孔１８ｂを挟んでキーリアケース１２長手方向反対側に位置して形成されるリブ２７ｂにまで亘って連続的に配設されている。
【００３４】
リブ２７ａ，２７ｂは、例えば、キーフロントケース１１とキーリアケース１２を重ね合わせた状態に固定するためのネジを取り付けるネジボスが嵌合される嵌合部を形成するものであり、リブ２８，２９は、例えば、キーフロントケース１１とキーリアケース１２を重ね合わせた状態でイヤフォンコネクタ３０（図９参照）に当接するリブである。
【００３５】
また、図８に示すように、キーフロントケース１１に装着されたメイン基板１３には、上記ネジボスが挿通される孔が形成されており、この挿通孔の周囲にはグランドが形成されている。
【００３６】
即ち、キーリアケース１２に重ね合わされて一体化するキーフロントケース１１に装着されるメイン基板１３のネジボス挿通孔の周囲表面にグランド部が形成されている。また、イヤフォンコネクタ３０は外周がメイン基板１３のグランドに導通されている板金部材により構成されている。
【００３７】
従って、図９に示すように、キーフロントケース１１とキーリアケース１２を重ね合わせて一体化した際に、各リブ２７ａ，２７ｂとメイン基板１３のネジボス挿通孔周囲のグランド部とが、各リブ２８，２９とイヤフォンコネクタ３０の外装部（板金）とが接触状態になって、導電膜２６ａとメイン基板１３のグランド部及びイヤフォンコネクタ３０の外装部、導電膜２６ｂとメイン基板１３のグランド部とがそれぞれ密着する。
【００３８】
つまり、突起部である各リブが、メイン基板１３と直接的に、又はカメラ用ＦＰＣ１４を介して間接的に導通され、スピーカ２５は、配線部品で構成されるカメラ用ＦＰＣ１４により、メイン基板１３と電気的に接続されている。また、各リブに収容されて保持されるスピーカ１５を備えたキーリアケース１２は、リブにおけるスピーカ１５の音出力面に対向する位置に音出力孔が形成され、導電塗装が施されるリブの導電部位は、音出力孔の周囲を少なくとも含んでいる。
【００３９】
これにより、スピーカ孔１８ａから筐体内に入り込んだ静電気のメイン基板１３への導通経路として、リブ２７ａ（導通ポイント３）を経由してメイン基板＿ＧＮＤ１（導通ポイント３´）へ、リブ２８，２９（導通ポイント４）を経由してイヤフォンコネクタ３０の外装部（導通ポイント４´）へ、リブ２７ｂ（導通ポイント５）を経由してメイン基板＿ＧＮＤ２（導通ポイント５´）へ、と導く導電路（一部のみ図示）が形成される。
【００４０】
この結果、スピーカに静電気が飛び込んでしまった場合、静電気は、第１導電ルートに加え、導通ポイント３−導通ポイント３´、導通ポイント４−導通ポイント４´、導通ポイント５−導通ポイント５´の第２導電ルートへも誘導されて、メイン基板１３のＧＮＤへ安定して導かれるため、スピーカラインへ静電気が飛び込むことがなく、オーディオ回路などの誤動作や破壊を引き起こすことがない。加えて、カメラ用ＦＰＣ１４のＧＮＤインピーダンスを低下させることができるため、カメラ１５が誤動作してしまうことも防止することができる。
【００４１】
このように、この発明に係る携帯端末装置は、筐体の内面側に電子部品を収容して保持する保持部（リブ）に施される導電塗装が、メイン基板１３に対向する部位まで連続的に施され、メイン基板１３は、導電塗装が施されたキーリアケース１２の対向する部位と当接されている。つまり、スピーカ孔の周辺に、導電塗装や蒸着を施して導電膜を形成し、この導電膜をカメラ用ＦＰＣ１４を介して基板のＧＮＤへ接続することによって、静電気の導電ルートを特定させ、確実に静電気を基板のＧＮＤへ逃がし、静電気対策の安定化を図ることができる。
【００４２】
また、カメラ１５が接続されているカメラ用ＦＰＣ１４のＧＮＤ（導通ポイント）とメイン基板１３のＧＮＤが、導通しているため、カメラ用ＦＰＣ１４のＧＮＤのインピーダンスが低下する。これにより、カメラ１５の静電気対策を行うことができ、ノイズに対してより効果的に対応することができる。
【００４３】
また、導電塗装又は蒸着によって導電膜を形成する場合、理想的な形状を形成することができるため、安定した静電気対策を実施することができる。また、スピーカ孔の周辺に板金を設けた場合のように、板金取扱い上の製造不良の発生がないため、歩留まりが向上すると共に、板金に比べ薄型、軽量化を達成することができる。
【００４４】
また、部品点数及び工数を削減することができる。また、スピーカの信号ライン及びオーディオ回路の誤動作破壊対策だけではなく、スピーカ周辺の、例えば、メイン基板と分離された別基板のカメラモジュールや高速シリアル等の高速処理を行うような回路のＧＮＤ強化を達成することができ、コネクタ等の部品を使用しないで（コストアップ無しで）、耐ノイズ性の改善を図ることができる。
【００４５】
なお、本発明は、上述した実施の形態により説明したが、この実施の形態に限定されるものではない。従って、本発明の趣旨を逸脱することなく変更態様として実施するものも含むものである。例えば、携帯電話機以外の携帯端末装置にも適用することができる。
【図面の簡単な説明】
【００４６】
【図１】本発明の一実施の形態に係る携帯端末装置のキー側筐体の分解構成図である。
【図２】図１のキーリアケースの背面の平面図である。
【図３】図１のキーリアケースの内面側の部分平面図である。
【図４】図１のキーフロントケースの部分平面図である。
【図５】図１のキー側筐体のスピーカ孔近傍の断面図である。
【図６】図１のキー側筐体のスピーカ装着部分を縦断面して示す斜視説明図である。
【図７】導電膜の他の例を示す図３と同様の部分平面図である。
【図８】導電膜の他の例を示す図７と同様の部分平面図である。
【図９】導電膜の他の例を示す図５と同様の断面図である。
【符号の説明】
【００４７】
１０  キー側筐体
１１  キーフロントケース
１２  キーリアケース
１３  メイン基板
１４  カメラ用ＦＰＣ
１５  カメラ
１５ａ  撮像レンズ
１６  カメラ撮影用窓
１７  カメラ用ＦＰＣ−メイン基板間コネクタ
１８ａ，１８ｂ  スピーカ孔
１９  開口
２０  蓋体
２１ａ，２１ｂ，２７ａ，２７ｂ，２８，２９  リブ
２２ａ，２２ｂ  リブ突出部
２３ａ，２３ｂ，２４ａ，２４ｂ，２６ａ，２６ｂ，３１ａ，３１ｂ  導電膜
２５  スピーカ
３０  イヤフォンコネクタ
【図１】
2008130912.tif 000003
【図２】
2008130912.tif 000004
【図３】
2008130912.tif 000005
【図４】
2008130912.tif 000006
【図５】
2008130912.tif 000007
【図６】
2008130912.tif 000008
【図７】
2008130912.tif 000009
【図８】
2008130912.tif 000010
【図９】
2008130912.tif 000011